(57)【要約】【課題】  扉がなくても棒立下端部の固定及び固定解除が可能な棒立脱着装置の提供。【解決手段】  荷台１の一側に備えた側壁２と、該側壁２とは反対側の荷台１の端面複数個所に固定された外側面が開口し底面３１を有する四角状の支持枠３と、該支持枠３内に下端を立設状態で装着支持される棒立４と、該棒立４の上端部と側壁２との間に張られたワイヤー５と、棒立４の下端を支持枠３内に脱着可能に固定する脱着機構６を備えた棒立脱着装置であって、脱着機構６が、支持枠３の上方で棒立４の両側面に突設された係合ピン４１、４１と、荷台１の枢軸６２を中心として上下方向回動自在で棒立４の両係合ピン４１、４１に対して係脱自在に係合することで棒立４の下端部を支持枠３内に固定する一対の係合ツメ６３、６３と、該係合ツメ６３、６３を上下回動させる回動操作部６４を備える。【選択図】      図９
2015096368.tif 000002
【特許請求の範囲】
【請求項１】
荷台の一側に備えた側壁と、該側壁とは反対側の荷台の端面複数個所に固定された外側面が開口し底面を有する四角状の支持枠と、該支持枠内に下端を立設状態で装着支持される棒立と、該棒立の上端部と前記側壁との間に張られたワイヤーと、前記棒立の下端を支持枠内に脱着可能に固定する脱着機構を備えた棒立脱着装置であって、
前記脱着機構が、前記支持枠の上方で前記棒立の両側面に突設された係合ピンと、前記荷台の枢軸を中心として上下方向回動自在で前記棒立の両係合ピンに対して係脱自在に係合することで前記棒立の下端部を前記支持枠内に固定する一対の係合ツメと、該係合ツメを上下回動させる回動操作部を備えることを特徴とする棒立脱着装置。
【請求項２】
請求項１に記載の棒立脱着装置において、
前記係合ピンに対する係合ツメの係合前の段階で、前記支持枠内に装着した前記棒立の下端部を仮止めする仮止機構を備えることを特徴とする棒立脱着装置。
【請求項３】
請求項２に記載の棒立脱着装置において、
前記仮止機構が、前記荷台の端面から突出する枢軸を中心として上下方向回動自在で、前記支持枠に対し上方から前記棒立を差し込むことで前記係合ピンに係合して仮止めし、前記係合ピンに対する前記係合ツメの係合により該係合ツメに備えた解除ピンで前記係合ピンに対する係合を解除する仮止部材を備えることを特徴とする棒立脱着装置。
【請求項４】
請求項１〜３のいずれか１項に記載の棒立脱着装置において、
前記回動操作部が油圧コントロールバルブで操作される油圧シリンダーで構成されていることを特徴とする棒立脱着装置。
【発明の詳細な説明】
【技術分野】
【０００１】
本発明は、運搬車や貨物自動車の荷台の一側面に立てられる棒立の脱着装置に関する。
【背景技術】
【０００２】
従来、棒立脱着装置として特許文献１に記載の装置が公知になっている。
この棒立脱着装置は、運搬車又は貨物自動車の荷台の一側面の前後複数個所に外側面が開口した四角状の支持枠を固定し、これらの支持枠の開口を覆い、かつ、係合穴を有する扉を、外側への開放可能に支持枠にそれぞれ枢着し、前記支持枠に、前記係合穴に係合するピンおよび支持枠に支持される支えを有する四角状の棒立を着脱可能に嵌合支持させ、扉の閉時に扉と係脱可能に係合する各扉のロック金具の一つに操作レバーを固定し、この操作レバーをロックおよびロック解除状態に保持するガイド枠を荷台の一部に固定し、前記操作レバーを操作してロック金具による扉のロックを解除することにより、積荷の荷重で扉が開いて棒立が外されるように構成されたものであった。
【先行技術文献】
【特許文献】
【０００３】
【特許文献１】実公昭６１−２７２号公報
【発明の概要】
【発明が解決しようとする課題】
【０００４】
しかしながら、従来例の棒立脱着装置にあっては、上述のように、操作レバーを操作してロック金具による扉のロックを解除することにより、積荷の荷重で扉が開いて棒立が外され、木材等の積荷がその自重で荷台から落下するように構成されたものであったため、外側に開いた扉に荷台から落下する木材等が接触して木材等を傷付けたり、扉自体を変形させてしまうという問題点があった。
【０００５】
本発明の解決しようとする課題は、扉がなくても棒立下端部の固定及び固定解除が可能な棒立脱着装置を提供することにある。
【課題を解決するための手段】
【０００６】
上記課題を解決するため請求項１記載の棒立脱着装置は、荷台の一側に備えた側壁と、該側壁とは反対側の荷台の端面複数個所に固定された外側面が開口し底面を有する四角状の支持枠と、該支持枠内に下端を立設状態で装着支持される棒立と、該棒立の上端部と前記側壁との間に張られたワイヤーと、前記棒立の下端を支持枠内に脱着可能に固定する脱着機構を備えた棒立脱着装置であって、
前記脱着機構が、前記支持枠の上方で前記棒立の両側面に突設された係合ピンと、前記荷台の枢軸を中心として上下方向回動自在で前記棒立の両係合ピンに対して係脱自在に係合することで前記棒立の下端部を前記支持枠内に固定する一対の係合ツメと、該係合ツメを上下回動させる回動操作部を備えることを特徴とする手段とした。
【０００７】
請求項２記載の棒立脱着装置は、請求項１に記載の棒立脱着装置において、
前記係合ピンに対する係合ツメの係合前の段階で、前記支持枠内に装着した前記棒立の下端部を仮止めする仮止機構を備えることを特徴とする手段とした。
【０００８】
請求項３記載の棒立脱着装置は、請求項２に記載の棒立脱着装置において、
前記仮止機構が、前記荷台の端面から突出する枢軸を中心として上下方向回動自在で、前記支持枠に対し上方から前記棒立を差し込むことで前記係合ピンに係合して仮止めし、前記係合ピンに対する前記係合ツメの係合により該係合ツメに備えた解除ピンで前記係合ピンに対する係合を解除する仮止部材を備えることを特徴とする手段とした。
【０００９】
請求項４記載の棒立脱着装置は、請求項１〜３のいずれか１項に記載の棒立脱着装置において、
前記回動操作部が油圧コントロールバルブで操作される油圧シリンダーで構成されていることを特徴とする手段とした。
【発明の効果】
【００１０】
請求項１記載の棒立脱着装置では、上述のように、脱着機構が、支持枠の上方で棒立の両側面に突設された係合ピンと、荷台の枢軸を中心として上下方向回動自在で棒立の両係合ピンに対して係脱自在に係合することで棒立の下端部を支持枠内に固定する一対の係合ツメと、該係合ツメを上下回動させる回動操作部を備えることで、扉がなくても棒立下端部の固定及び固定解除が可能になる。
従って、積荷を降ろす際の積荷の傷付けや部材の損傷を防止することができるようになるという効果が得られる。
【００１１】
請求項２記載の棒立脱着装置では、上述のように、係合ピンに対して係合ツメを係合させるまでの間、支持枠内に装着した棒立の下端部を仮止めできるので、多くの人手を要することなしに、棒立の設置作業が行え、作業効率の向上が図れるようになる。
【００１２】
請求項３記載の棒立脱着装置では、上述のように、仮止機構が、荷台の端面から突出する枢軸を中心として上下方向回動自在で、支持枠に対し上方から棒立を差し込むことで係合ピンに係合して仮止めし、記係合ピンに対する係合ツメの係合により該係合ツメに備えた解除ピンで係合ピンに対する係合を解除する仮止部材を備えることで、係合ツメの操作のみで仮止部材の解除操作が行えるようになる。
【００１３】
請求項４記載の棒立脱着装置では、上述のように、回動操作部が油圧コントロールバルブで操作される油圧シリンダーで構成されていることで、操作部で油圧コントロールバルブを操作するだけで仮止部材の解除操作が行えるようになる。
【図面の簡単な説明】
【００１４】
【図１】実施例１の棒立脱着装置が採用された木材運搬車を示す正面図である。
【図２】実施例１の棒立脱着装置が採用された木材運搬車を示す平面図である。
【図３】実施例１の棒立脱着装置が採用された木材運搬車を示す左側面図である。
【図４】実施例１の棒立脱着装置が採用された木材運搬車を示す右側面図である。
【図５】実施例１の棒立脱着装置を示す斜視図である。
【図６】実施例１の棒立脱着装置を示す分解斜視図である
【図７】実施例１の棒立脱着装置における棒立固定状態を示す要部拡大正面図である。
【図８】実施例１の棒立脱着装置における棒立固定状態を示す要部拡大右側面図である。
【図９】実施例１の棒立脱着装置における棒立固定解除状態を示す要部拡大正面図である。
【図１０】実施例１の棒立脱着装置における棒立固定解除状態を示す要部拡大右側面図である。
【図１１】棒立を示す正面図である。
【図１２】棒立を示す平面図である。
【図１３】棒立を示す側面図である。
【図１４】係合ツメを示す斜視図である。
【発明を実施するための形態】
【００１５】
以下にこの発明の実施例を図面に基づいて説明する。
【実施例１】
【００１６】
この実施例１の棒立脱着装置は、木材運搬車に採用された例を示すもので、荷台１の一側に備えた側壁２と、該側壁２とは反対側の荷台１の端面１ａの複数個所に固定された外側面が開口し底面３１を有する四角状の支持枠３と、該支持枠３内に下端を立設状態で装着支持される棒立４と、該棒立４の上端部と側壁２との間に張られたワイヤー５と、棒立４の下端を支持枠３内に脱着可能に固定する脱着機構６を備えている。
【００１７】
さらに詳述すると、前記脱着機構６は、図５〜１４に示すように、支持枠３の上方で棒立４の両側面に突設された係合ピン４１、４１と、荷台１の枢軸６２を中心として上下方向回動自在で棒立４の両係合ピン４１、４１に対して係脱自在に係合することで棒立４の下端部を支持枠３内に固定する一対の係合ツメ６３、６３と、該係合ツメ６３、６３を上下回動させる回動操作部６４を備えている。
【００１８】
また、前記荷台１には、係合ピン４１、４１に対する係合ツメ６３、６３の係合前の段階で、支持枠３内に装着した棒立４の下端部を仮止めする仮止機構７を備えている。
【００１９】
前記仮止機構７は、荷台１の端面から突出する枢軸７１を中心として上下方向回動自在で、支持枠３に対し上方から棒立４を差し込むことで係合ピン４１に係合して仮止めし、係合ピン４１に対する係合ツメ６３、６３の係合により該係合ツメ６３に備えた解除ピン７２で係合ピン４１に対する係合を解除する仮止部材７３を備えている。
この仮止部材７３は、枢軸７１に装着された皿ばねにより、棒立４を仮止めした下端回動部と、仮止めを解除された上端回動部とにおいてその状態が維持されるようになっている。
【００２０】
なお、この実施例１では、前記回動操作部６４が油圧コントロールバルブ６４ａで操作される油圧シリンダー６４ｂで構成されている。
【００２１】
なお、図１〜４において、８は操縦席、９は駆動部、１０は駆動車輪を示す。
【００２２】
次に、この実施例１の作用を説明する。
この実施例１の棒立脱着装置では、上述のように構成されるため、山において荷台に木材（丸太）を積み込む場合、まず、図７、８に示すように、油圧コントロールバルブ６４ａ操作により係合ツメ６３を下方へ回動させた状態で、支持枠３内に棒立４を差し込むと、図６に示すように、棒立４の一方の係合ピン４１の先端が仮止部材７３上に支持され、これにより、棒立４が支持枠３内に仮止めされた状態となる。
【００２３】
次に、図９、１０に示すように、油圧コントロールバルブ６４ａ操作により係合ツメ６３を上方へ回動させると、係合ツメ６３、６３が棒立４の両係合ピン４１、４１に係合して棒立４を支持枠３内に固定すると同時に、図８に示すように、一方の係合ツメ６３に備えた解除ピン７２が仮止部材７３を上方へ回動させ、棒立４の仮止め状態が解除される。
【００２４】
次に、荷台１に木材を積み込み、棒立４の上端と側壁２の間にワイヤー５を張って木材を固定した状態で山からふもとの一時置き場等で木材を降ろす時は、油圧コントロールバルブ６４ａ操作により係合ツメ６３を下方へ回動させることで、棒立４の両係合ピン４１、４１に対する両係合ツメ６３、６３の係合状態が解除され、仮止部材７３は皿はねの不勢力で上方に回動した状態に維持されているため、支持枠３に対する棒立４の下端部の仮止め及び固定状態が解除され、木材がその自重で荷台から自然落下する。荷台１に残った木材は荷台１のダンプや人力で落下させることで、木材の荷降ろしを完了する。
【００２５】
次に、この実施例１の効果を説明する。
この実施例１の棒立脱着装置では、上述のように、脱着機構６が、支持枠３の上方で棒立４の両側面に突設された係合ピン４１、４１と、荷台１の枢軸６２を中心として上下方向回動自在で棒立４の両係合ピン４１、４１に対して係脱自在に係合することで棒立４の下端部を支持枠３内に固定する一対の係合ツメ６３、６３と、該係合ツメ６３、６３を上下回動させる回動操作部６４を備えることで、扉がなくても棒立４の下端部の固定及び固定解除が可能になる。
従って、積荷を降ろす際の積荷の傷付けや部材の損傷を防止することができるようになるという効果が得られる。
【００２６】
また、上述のように、係合ピン４１、４１に対して係合ツメ６３、６３を係合させるまでの間、支持枠３内に装着した棒立４の下端部を仮止めできるので、多くの人手を要することなしに、棒立４の設置作業が行え、作業効率の向上が図れるようになる。
【００２７】
また、上述のように、仮止機構７が、荷台１の端面から突出する枢軸７１を中心として上下方向回動自在で、支持枠３に対し上方から棒立４を差し込むことで係合ピン４１に係合して仮止めし、係合ピン４１、４１に対する係合ツメ６３、６３の係合により該係合ツメ６３、６３に備えた解除ピン７２で係合ピン４１に対する係合を解除する仮止部材７３を備えることで、係合ツメ６３、６３の操作のみで仮止部材７３の解除操作が行えるようになる。
【００２８】
また、上述のように、回動操作部６４が油圧コントロールバルブ６４ａで操作される油圧シリンダー６４ｂで構成されていることで、操作部で油圧コントロールバルブ６４ａを操作するだけで仮止部材７３の解除操作が行えるようになる。
【００２９】
以上本実施例を説明してきたが、本発明は上述の実施例に限られるものではなく、本発明の要旨を逸脱しない範囲の設計変更等があっても、本発明に含まれる。
【００３０】
例えば、実施例では、回動操作部６４が油圧コントロールバルブ６４ａで操作される油圧シリンダー６４ｂで構成した例を示したが、手動式など、その他の方法で操作させることができる。
【符号の説明】
【００３１】
１  荷台
１ａ  端面
２  側壁
３  支持枠
３１  底面
４  棒立
４１  係合ピン
５  ワイヤー
６  脱着機構
６２  枢軸
６３  係合ツメ
６４  回動操作部
６４ａ  油圧コントロールバルブ
６４ｂ  油圧シリンダー
７  仮止機構
７１  枢軸
７２  解除ピン
７３  仮止部材
８  操縦席
９  駆動部
１０  駆動車輪
【図１】
2015096368.tif 000003
【図２】
2015096368.tif 000004
【図３】
2015096368.tif 000005
【図４】
2015096368.tif 000006
【図５】
2015096368.tif 000007
【図６】
2015096368.tif 000008
【図７】
2015096368.tif 000009
【図８】
2015096368.tif 000010
【図９】
2015096368.tif 000011
【図１０】
2015096368.tif 000012
【図１１】
2015096368.tif 000013
【図１２】
2015096368.tif 000014
【図１３】
2015096368.tif 000015
【図１４】
2015096368.tif 000016